(57)【要約】【課題】良好な音の伝達を確保しながら多数のゴングを受け入れることができる、時計のチャイムゴング用の支持体、及びこの支持体を備えた時計を提供すること。【解決手段】本発明の支持体（６）は、時計の固定部品（１）にチャイムゴング（３）を結合するように構成された支持体（６）であって、支持体（６）が、ゴング（３）の端部（５）をそれぞれ固定することができる段部（８）を定める段付き面（７）を有することを特徴としている。【選択図】図１
2010160155.tif 000002
【特許請求の範囲】
【請求項１】
時計の固定部品（１）にチャイムゴング（３）をけ都合するように構成された支持体（６）であって、
前記支持体（６）が、前記ゴング（３）の端部（５）をそれぞれ固定することができる段部（８）を定める段付き面（７）を有する、
ことを特徴とする支持体（６）。
【請求項２】
前記固定部品（１）に当接して保持されるように構成された脚部（１４）を定める少なくとも１つの凹部（１３）を有する、
ことを特徴とする請求項１に記載の支持体（６）。
【請求項３】
固定部品（１）と、該固定部品（１）に固定された請求項１又は２に記載の支持体（６）と、前記支持体（６）のそれぞれの段部（８）に端部（５）によって各々が固定されるゴング（３）とを有する、
ことを特徴とする時計。
【請求項４】
前記各ゴング（３）の端部（５）が、前記それぞれの段部（８）の平坦面に当接して保持される平坦面（１０）を有する、
ことを特徴とする請求項３に記載の時計。
【請求項５】
前記各ゴング（３）の少なくとも端部（５）は、矩形断面を有する、
ことを特徴とする請求項３又は４に記載の時計。
【請求項６】
前記支持体（６）に固定される前記ゴング（３）の数が２つよりも多い、
ことを特徴とする請求項３から５のいずれか１項に記載の時計。
【請求項７】
前記ゴング（３）が、取り外し可能な結合手段（１１）によって前記支持体（６）に固定される、
ことを特徴とする請求項３から６のいずれか１項に記載の時計。
【請求項８】
前記取り外し可能な結合手段は、ねじ（１１）である、
ことを特徴とする請求項７に記載の時計。
【請求項９】
前記各ねじ（１１）は、円筒形ねじ付き部分（１５）、円錐部分（１６）、及び多角形断面を備えたヘッド（１８）を連続して有する、
ことを特徴とする請求項８に記載の時計。
【請求項１０】
前記ゴング（３）は、前記時計のケースの軸線（Ａ）の方向に重ね合わされ、前記方向（Ａ）に整列した自由端（９）を有する、
ことを特徴とする請求項３から９のいずれか１項に記載の時計。
【請求項１１】
前記ゴング（３）の少なくとも２つの間にダンパー要素（２２）を有し、これらのゴング（３）が互いに直接衝突するのを避けるようになっている、
ことを特徴とする請求項３から１０のいずれか１項に記載の時計。
【請求項１２】
前記固定部品（１）は、前記時計のガラスである、
ことを特徴とする請求項３から１１のいずれか１項に記載の時計。
【発明の詳細な説明】
【技術分野】
【０００１】
本発明は、時計の固定部品にチャイムゴングを固定するための支持体及びこの支持体を備えた時計に関する。
【背景技術】
【０００２】
チャイム時計は、「ゴング」と呼ばれる振動要素と、ゴングを打ってこれを共振させ、これにより音を発生するハンマーとを有することは知られている。
【０００３】
ゴングは一般に、時計の文字盤の平面に平行な１つ又はそれ以上の平面内に延びる曲がった金属ワイヤの形態である。ゴングは、これらの端部の１つによって、ムーブメントプレート、胴部、又はガラスなどの時計の固定部品に固定される「ヒール（ｈｅｅｌ）」と呼ばれる部品に固定される。ゴングの取り付け端部は一般に、ゴングをヒールに固定するために、ヒールに打ち込み又は溶接される。ヒール自体は、一般的には、ねじによって時計の固定部品に固定される。ゴング構造の例は、スイス特許第３１３２０２号、国際特許公開第２００６／０９５２４４号、欧州特許第１９０６２６７号の各文献に記載されている。
【０００４】
特に、上記の後の２つの文献から、２つのゴングを単一のヒールに固定することは公知である。時計が２つよりも多くのゴングを有する場合、複数の重ね合わされたヒールが設けられ、各ヒールが１つ又は２つのゴングを受け入れる。出願人の認識によれば、２つよりも多いゴングは、その平行位置関係が制御できない理由から、単一のヒールには固定されたことはない。
【０００５】
また、ゴングと固定部品との間の結合は、時計外部への良好な音の伝達を確保するために、可能な限り剛直にしなければならない。複数のヒールが使用される場合、固定部品から最も遠くにあるゴングの振動は、かなりの数の固定ゾーン、すなわち、ゴングとその取り付けヒールとの間の接続部、ヒール間の接続部、並びに固定部品と接触したヒールとこの固定部品との間の接続部を通過しなくてはならない。これらの固定ゾーンの各々において音響損失が発生する。
【先行技術文献】
【特許文献】
【０００６】
【特許文献１】スイス特許第３１３２０２号
【特許文献２】国際特許公開第２００６／０９５２４４号
【特許文献３】欧州特許第１９０６２６７号
【発明の概要】
【発明が解決しようとする課題】
【０００７】
本発明の目的は、良好な音の伝達を確保しながら多数のゴングを受け入れることができる、時計のチャイムゴング用の支持体を提供することである。
【課題を解決するための手段】
【０００８】
この目的のために、時計の固定部品にチャイムゴングを結合することを目的とする支持体が提供され、該支持体は、ゴングの端部をそれぞれ固定することができる段部を定める段付き面を有することを特徴とする。
【０００９】
この段付き面がゴングの当接部として機能する結果として、本発明による支持体は、例えば、３つ、４つ、又はそれ以上の多数のゴングを受け入れることができる。これらのゴングは、時計ケースの軸方向に重ね合わせることができ、従って、半径方向で１つのゴングのスペースだけ占有することができる。各ゴングの端部の当接面を対応する段部上に位置させることによって、ゴングの平行位置関係を十分に制御することができる。単一部品、すなわち本発明による支持体を用いてゴングを固定部品に結合することができるので、これらのゴングの各々と固定部品との間で良好な音の伝達を確保することができる。
本発明の特定の実施形態は、添付の従属請求項で定義される。
本発明の他の特徴及び利点は、添付図面を参照しながら以下の詳細な説明を読むと明らかになるであろう。
【図面の簡単な説明】
【００１０】
【図１】時計ガラスにゴングを接続した、本発明による支持体を示す斜視図である。
【図２】支持体だけの斜視図である。
【図３】ゴングを支持体に固定するのに使用される有利な形態のねじを示す斜視図である。
【図４】ゴング内に収容されたダンパー要素を特に分解図で示した、支持体に固定されるゴングの１つの斜視図である。
【図５】ゴングの一部に収容されダンパー要素を示し、且つゴングの自由端が整列したゴングの斜視図である。
【図６】ゴングの一部に収容されたダンパー要素を示すゴングの部分外形平面図である。
【発明を実施するための形態】
【００１１】
図１を参照すると、携帯時計、特に腕時計のような本発明による時計は、胴部、ガラス、及び裏蓋によって形成されるケースを有し、その内、図１にはガラス１だけが図示されている。ケース内部にはムーブメントがあり、その中でプレート２が破線で概略的に示されており、ムーブメントは、プレート２の上に設けられ且つガラス２を通して見える文字盤（図示せず）と、ミニッツリピータ、グランドストライク、スモールストライク、又はアラーム機構などのチャイム機構とを有する。チャイム機構のうち、ゴング３だけが図示されている。図示の例において、これらのゴング３の数は４つである。これらは、チャイム機構のそれぞれのハンマーによって打たれて、振動するようになっている。発生した振動は、時計のケースに伝達され、外部に向けて音響的に放射される。ゴング３は異なる長さのものであり、ゴングが打たれたときに異なる音色を発生する。これらのゴング３は、ケースの軸線Ａの回りを円弧状に曲げられ、各々が広い剛直な端部５で終端するワイヤ４の形態である。端部５は、図示のように、上から見たときに断面が矩形の平坦な形状にすることができる。ワイヤ４は、矩形断面を有するのが好ましい。
【００１２】
ゴング３の端部５は、支持体６に固定され、支持体自体は、時計の固定部品、すなわちガラス１に固定される。ゴング３は、ムーブメントのプレート２とブリッジとの間に軸方向（すなわち、軸線Ａの方向）に配置される。支持体６は、プレート２の周辺凹部において胴部とプレート２の周縁部との間で半径方向に配置され、ゴング３を、プレート２又は胴部の何れにも接触させることなくガラス１に結合する。
【００１３】
支持体６は、単一部品として製作され、ケースと同軸の円弧壁の形態である。支持体の縁部の１つは、ゴング３の端部５がそれぞれ加圧保持される段部８を定める段付き面７（図１及び２を参照）を構成し、ゴング３の他端部９は自由端である。従って、ゴング３は、文字盤の平面に平行で且つ軸線Ａに垂直なそれぞれの平面で保持され、軸線Ａの方向に重ね合わされて、半径方向では１つのゴングの空間だけが占有されるようになる。各ゴング３の端部５は、上記の平面及び対応する段部８に平行で、且つこの段部に当接して保持される平坦当接面１０を有する。このようにして、組み立て中のゴング３の良好なレベルの平行位置関係を容易に得ることができる。この平行位置関係により、作動中並びに時計が受ける運動中に、ゴング３が互いに衝突するリスクが低減される。
【００１４】
端部５は、それぞれの段部８に対して端部５を締結するねじ１１を用いて支持体６に固定される。
【００１５】
支持体６は、段付き面７とは反対側にある縁部１２によってガラス１に固定される。この縁部１２は、支持体６の２つの脚部１４をガラス１と接触して定める中央凹部１３を有する。支持体６は、脚部１４をガラス１に溶接することによって固定される。
【００１６】
この堅固な特性の結果として、支持体６は、ゴング３とガラス１との間の剛直な結合を構成し、従って、ガラス１に対するゴング３の振動の良好な伝達が確保される。その結果、これらの振動は、ガラス１及びケースの他の構成部品を介して周囲空気に放射され、ゴング３が鳴る度にユーザに聞こえるようになる。支持体６は、プレート２に接触していないので、ムーブメントを通る必要があり且つそこで損失が発生する振動を回避することができる。凹部１３は、支持体６とガラス１との間、すなわち脚部１４の当接面１０の間に特定の限定的な接触ゾーンを定める。従って、ガラス１に対する支持体６の極めて均質的な溶接を達成することができ、音の伝達が更に改善される。最後に、段付き面７の結果として、多数のゴング３を、上述の平行位置関係を維持しながら支持体６に固定することができる。
【００１７】
支持体６は、音の速さが高い材料、例えば、セラミック、サファイヤ、ダイアモンド、又はステンレス鋼などの金属で製作される。支持体６が金属製でない場合には、支持体６をガラス１に溶接するために、最初に、脚部１４を受けるように構成されたガラス１のゾーン上及び脚部１４の当接面上に金属堆積を行う。
【００１８】
１つの変形形態では、支持体６を、ガラス１以外の時計の固定部品に、詳細には胴部などのケースの別の要素に固定することができる。
【００１９】
段付き面７の段部８及びゴング３の端部５の当接面１０は、依然として相補的で且つゴング３を互いに平行に位置付けることができる限り、平坦でなくてもよい。例えば、これらの段部８及び当接面１００は、球形又はＶ字型であってもよい。
【００２０】
ねじ１１によって形成される取り外し可能な結合手段により、時計の調整、メンテナンス、又は補修の間、支持体６からゴング３を分離して取り外し、ムーブメントの特定の構成部品にアクセスできるようにすることが可能になる。
【００２１】
図３は、好ましい実施形態によるねじ１１の形態を示している。ねじ１１は、円筒形ねじ付き部分１５、円錐部分１６、部分１５よりも直径が大きな円筒形部分１７、及び多角形例えば、正方形の断面を備えたヘッド１８を連続して有し、円錐部分１６はヘッド１８に向かって広がっている。ねじ１１は、端部５（図４を参照）内の孔１９を貫通し、支持体６（図２を参照）内のねじ孔２０にねじ止めされる。孔１９は、ねじ１１の円錐部分１６が当接する円錐壁を有する。ねじのこの外形により、ゴング３の端部５を支持体６に接して極めて強固に締結できるようになる。実際に、円錐部分１６が円筒形ねじ付き部分１５と定める鈍角は、ねじの剪断力に対する抵抗を高め、それにより、破断するリスクを冒すことなくねじに高い締結モーメントを加えることができる。更に、多角形断面を備えたヘッド１８は、ツールの対応する形状の孔を受けることができ、従って、締結トルクを加えるためのこのようなツールに大きな当接面を提供する。このようなねじ１１に大きな締結トルクを加えることができるので、従来のねじではなくこのようなねじ１１を使用することで、ゴング３からガラス１への振動伝達が大きく改善された点に留意されたい。
【００２２】
図５に示す本発明の別の特徴によれば、ゴング３の自由端９は、ケースの軸線Ａの方向に整列している。これは、ゴング３が支持体６の直ぐ手前で全て終わることができるので、長さを長くすることができることを意味する。この長い長さは、ゴング３がより長く音を保持できるようにする。更に、端部９が軸方向に整列していることは、独特で魅力的な美観的特徴を備えたチャイム機構を提供する。ゴング３の音の高さの間隔は、各ゴング３の断面の外形及び／又はサイズに影響を与えることによって、例えば、各ゴング３を可変の形状及び／又はサイズの断面で形成することによって調整することができる。
【００２３】
図４、５、及び６に示す本発明の別の特徴によれば、ゴング３の少なくとも一部は、弾性材料のダンパー要素２２が、例えば力によって固定される凹部２１を有する。各ダンパー要素２２は、ゴング３の表面を越えて突出し、ここにダンパー要素２２が軸方向に配置されてゴングへの当接面を提供するようにし、該ゴングは、時計が受ける運動中にゴング３が相対的に軸方向に運動する場合に該当接面に対面する。これらのダンパー要素２２は、軸方向に最も変形するゴング３のゾーンに配置される。これらのダンパー要素は、時計を身につけているときの移動中にゴング３が互いに直接衝突し、目的から外れた音を発生しないようにすることができる。
【符号の説明】
【００２４】
１  固定部品
３  チャイムゴング
５  端部
６  支持体
７  段付き面
８  段部
１１  ねじ
１３  中央凹部
１４  脚部
１５  円筒形ねじ付き部分
１６円錐部分
１８  ヘッド
２２  ダンパー要素
【図１】
2010160155.tif 000003
【図２】
2010160155.tif 000004
【図３】
2010160155.tif 000005
【図４】
2010160155.tif 000006
【図５】
2010160155.tif 000007
【図６】
2010160155.tif 000008